(57)【特許請求の範囲】
【請求項１】
垂直偏波及び水平偏波で構成される電波が伝わる給電用導波管と、
前記給電用導波管の開口部と向かい合うように配置され、当該開口部から照射された電波を反射する副反射鏡と、
前記副反射鏡と向かい合うように配置され、前記副反射鏡が反射した電波を外部へ放射する主反射鏡と、
を備え、
前記主反射鏡の表面は、所定の放物線の一側及び他側を少なくとも一度ずつ通る線を回転軸の周りに回転させた形状であり、
前記副反射鏡の表面は、段状の線を回転軸の周りに回転させた形状であることを特徴とするアンテナ。
【請求項２】
請求項１に記載のアンテナであって、
前記主反射鏡の表面は、所定の放物線と少なくとも２回以上交差する線を回転軸の周りに回転させた形状であることを特徴とするアンテナ。
【請求項３】
請求項１又は２に記載のアンテナであって、
前記主反射鏡の表面は、傾きが離散的ではなく連続的に変化する線を回転軸の周りに回転させた形状であることを特徴とするアンテナ。
【請求項４】
請求項１から３までの何れか一項に記載のアンテナであって、
気象状況を観測するために用いられることを特徴とするアンテナ。
【発明の詳細な説明】
【技術分野】
【０００１】
本発明は、主反射鏡及び副反射鏡を備えるアンテナに関する。
【背景技術】
【０００２】
従来から、衛星通信や気象観測のために、放物曲面をした反射器を有するアンテナ（パラボラアンテナ）が用いられることがある。特許文献１は、このパラボラアンテナについて開示する。【０００３】
特許文献１のパラボラアンテナは、給電用導波管と、ホーンと、パラボラ反射器と、反射板と、を備える。外部へ放射するための電波は、給電用導波管を伝わり、ホーンからパラボラ反射器に向けて放射される。ホーンはパラボラ反射器の放物曲面の焦点に配置されているため、パラボラ反射器は、この電波を平面波として反射する。また、反射板は、パラボラ反射器又は給電用導波管によるホーンへの反射を打ち消すために配置されている。なお、この反射板は、階段状に構成されている。【０００４】
このように、特許文献１は、ホーンが放射した電波をパラボラ反射器が反射することで、外部に電波を放射する構成（反射器を１つ備える構成）である。これに対し、特許文献２は、反射器を２つ備える構成を開示する。【０００５】
特許文献２のアンテナ装置は、一次放射器によって放射された電波を反射板（副反射鏡）で反射し、その後レンズアンテナ（又はパラボラアンテナ、主反射鏡）で更に反射することで、外部に電波を放射する構成である。なお、この反射板は、形状を変化させることが可能な構成であり、走査角度が変化しても一定のビームパターンを保つことが可能である。
【先行技術文献】
【特許文献】
【０００６】
【特許文献１】実公平６−２８８１８号公報
【特許文献２】特開平１１−２７０３６号公報
【発明の概要】
【発明が解決しようとする課題】
【０００７】
ところで、パラボラアンテナを気象観測に用いる場合、口径の小さいものを多数配置して観測を行うことがある。しかし、パラボラアンテナの口径を小さくすると、指向性が低下することが知られている。また、２重偏波を用いる場合、２つの偏波が混ざってしまうことがある。【０００８】
また、特許文献１のパラボラアンテナのようにホーンを備える構成は、パラボラ放射器（放物線）の焦点の位置に照射口を配置する必要があるので、口径に垂直な方向のサイズを小さくすることが困難である。【０００９】
本発明は以上の事情に鑑みてされたものであり、その目的は、アンテナ特性を低下させることなくコンパクトな構成のアンテナを提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成のアンテナが提供される。即ち、このアンテナは、給電用導波管と、副反射鏡と、主反射鏡と、を備える。前記給電用導波管は、垂直偏波及び水平偏波で構成される電波が伝わる。前記副反射鏡は、前記給電用導波管の開口部と向かい合うように配置され、当該開口部から照射された電波を反射する。前記主反射鏡は、前記副反射鏡と向かい合うように配置され、前記副反射鏡が反射した電波を外部へ放射する。前記主反射鏡の表面は、所定の放物線の一側及び他側を少なくとも一度ずつ通る線を回転軸の周りに回転させた形状である。前記副反射鏡の表面は、段状又は波状の線を回転軸の周りに回転させた形状である。
【００１２】
これにより、口径が小さい場合であっても、アンテナ特性が良好な平面波を外部に放射することができる。また、このアンテナは、副反射鏡を備える構成であるので、口径に垂直な方向のサイズを抑えることができる。従って、全体的にコンパクトであってアンテナ特性も良好なアンテナを実現できる。
【００１３】
前記のアンテナにおいては、前記主反射鏡の表面は、所定の放物線と少なくとも２回以上交差する線を回転軸の周りに回転させた形状であることが好ましい。
【００１４】
これにより、アンテナ特性がより良好なアンテナを実現できる。
【００１５】
前記のアンテナにおいては、前記主反射鏡の表面は、傾きが離散的ではなく連続的に変化する線を回転軸の周りに回転させた形状であることが好ましい。
【００１６】
これにより、アンテナ特性がより良好なアンテナを実現できる。
【００１７】
前記のアンテナにおいては、前記副反射板の表面は、段状の線を回転軸の周りに回転させた形状であることが好ましい。
【００１８】
これにより、単純な方法で製造可能な副反射板が実現できる。
【００１９】
前記のアンテナにおいては、気象状況を観測するために用いられることが好ましい。
【００２０】
即ち、気象観測を行う場合、口径の小さいアンテナを複数並べて配置することがある。従って、アンテナ特性を劣化させずにコンパクト化を実現した本発明の効果を一層良好に発揮させることができる。
【図面の簡単な説明】
【００２１】
【図１】本発明の一実施形態に係るアンテナ装置の斜視図。
【図２】アンテナの断面図。
【図３】主反射鏡の反射面の形状を説明する図。
【図４】主反射鏡の反射面の形状を決定する処理を説明する図。
【図５】主反射鏡及び副反射鏡の変形例を示す断面図。
【発明を実施するための形態】
【００２２】
次に、図面を参照して本発明の実施の形態を説明する。図１は、本発明の一実施形態に係るアンテナ装置１の斜視図である。図２は、アンテナ１０の断面図である。
【００２３】
アンテナ装置１は、図略の電波生成部（マグネトロン等）や制御部等とともに、レーダ装置を構成している。アンテナ装置１は、例えば気象観測用に用いられるが、他の用途（通信等）に用いることも可能である。
【００２４】
アンテナ装置１は、図１に示すように、アンテナ１０と、伝達部２０と、支持台５０と、を備えている。アンテナ１０は、垂直方向（仰角を変化させる方向）及び水平方向（方位角を変化させる方向）に回転可能に構成されている。
【００２５】
支持台５０は、脚部と、脚部に固定された支持板と。を備えている。この支持板には、伝達部２０を構成する各部品（ギアや導波管等）が取り付けられている。また、この支持台５０には、アンテナ１０を垂直方向に回転させるためのモータ（図略）と、アンテナ１０を水平方向に回転させるためのモータ（図略）と、が取り付けられている。
【００２６】
伝達部２０は、これらのモータの動力をギア等によって伝達して、アンテナ１０を垂直方向及び水平方向に回転させることができる。
【００２７】
また、伝達部２０は、電波生成部が生成した電波（電磁波）をアンテナ１０に伝達する図略の導波管を備えている。ここで、本実施形態では、垂直方向の偏波と水平方向の偏波の両方がアンテナ１０に伝達される構成であるものとする。
【００２８】
アンテナ１０は、図１及び図２に示すように、主反射鏡１１と、副反射鏡１２と、副反射鏡支持部１３と、給電用導波管１４と、を備える。
【００２９】
給電用導波管１４は、伝達部２０の導波管と接続されている。給電用導波管１４は、円筒状の部材であり、その中心軸線が、主反射鏡１１及び副反射鏡１２の中心軸線と一致するように配置されている。図２に示すように、給電用導波管１４を伝わる電波は、給電用導波管１４の開口部から広がるように放射される。
【００３０】
副反射鏡支持部１３は、給電用導波管１４の外周部に取り付けられた円筒状の部材である。副反射鏡支持部１３は、副反射鏡１２を支持している。また、副反射鏡支持部１３は、電波の透過率が高い素材で構成されているものとする。
【００３１】
副反射鏡１２は、給電用導波管１４の開口部に向かい合うように配置されている。副反射鏡１２は、電波の反射率が高い素材から構成されている。副反射鏡１２は、円柱に同心円状に複数の段差を形成したような形状である（詳細は後述）。副反射鏡１２は、給電用導波管１４の開口部から放射された電波を主反射鏡１１に向けて反射する。
【００３２】
主反射鏡１１は、副反射鏡支持部１３に向かい合うように配置されている。主反射鏡１１は、副反射鏡１２と同様に、電波の反射率が高い素材から構成されている。主反射鏡１１の表面は、放物曲面に近似した曲面となっている（詳細は後述）。主反射鏡１１は、副反射鏡１２から放射された電波を反射する。これにより、平面波を外部に向けて放射することができる。なお、主反射鏡１１の形状の詳細については後述する。
【００３３】
主反射鏡１１が放射した電波は、雨や雲等によって反射する。この反射波は、上述の電波の経路を逆向きに伝わり、レーダ装置の制御部等によって解析される。これにより、水滴の位置、大きさ、及び密度等を求めることができる。
【００３４】
また、本実施形態のように２重偏波を行うことで、２種類の電波の反射率の差等から降水強度を求めることができる。気象レーダでは、以上のようにして気象観測が行われる。
【００３５】
次に、主反射鏡１１及び副反射鏡１２の形状について図２及び図３を参照して説明する。図３は、主反射鏡１１の反射面の形状を説明する図である。以下では、主反射鏡１１及び副反射鏡１２について、電波を反射する側の面を反射面と称する。
【００３６】
主反射鏡１１及び副反射鏡１２は、本実施形態では２重偏波を利用しているため、主反射鏡１１及び副反射鏡１２の反射面は、軸対称な形状となっている。言い換えれば、主反射鏡１１及び副反射鏡１２の反射面は、所定の線を所定の回転軸の周りに回転してできる形状（回転面）となっている。
【００３７】
従来の副反射鏡の反射面は、殆ど凹凸のない円形状である。これに対し、本実施形態の副反射鏡１２の反射面は、同心円状に段差が複数形成された形状となっている。より詳細には、副反射鏡１２の反射面は、階段状（パルス状）の線を回転してできる形状となっている。
【００３８】
また、従来の主反射鏡の反射面は、放物曲面である。これに対し、本実施形態の主反射鏡１１の反射面は、放物曲面を少し変形した曲面となっている。以下、具体的に説明する。
【００３９】
主反射鏡１１の反射面は、図３に示すように、ある曲線（以下、反射面曲線）を所定の回転軸の周りに回転させた形状となっている。この反射面曲線は、放物線と数回交差する。より詳細には、反射面曲線は、所定の放物線と比較したときに、回転軸において、当該放物線の内側（一側、上側）に位置している。そして、反射面曲線は、この回転軸から遠ざかるにつれて、この放物線の、外側（他側、下側）、内側、外側、内側、外側の順に位置する。
【００４０】
次に、反射面の具体的な形状を求める処理について図４を参照して簡単に説明する。図４は、主反射鏡１１の反射面の形状を決定する処理を説明する図である。
【００４１】
反射面曲線は、以下のようにして決定される。即ち、初めに、ベースとなる放物線を設定する。そして、その放物線に所定間隔毎に当該放物線を上側又は下側へズラした基準点を設定する。そして、設定した複数の基準点に基づいてして多項近似等を行い、暫定的に反射面曲線を設定する。
【００４２】
次に、この反射面曲線にシミュレーション等を行ってアンテナ特性の評価を行い、必要に応じて上記の基準点の再設定を行う。そして、アンテナ特性が良好になるまでこの作業を繰り返すことにより、反射面曲線を決定する。
【００４３】
上述のように、従来のパラボラアンテナでは、「主反射鏡の直径（口径）を小さくするに従ってアンテナ特性が低下する」という課題があった。この点、本願出願人は、主反射鏡１１及び副反射鏡１２の反射面を上記のように形成することで、上記の課題を解決し得ることを突き止めた。
【００４４】
そして、本願出願人は、上記のようにして作成した主反射鏡１１等を利用することで、従来は−１４ｄｂ程度であったサイドローブを−２０ｄｂ程度まで改善することを検証した。
【００４５】
つまり、本実施形態のアンテナ１０は、アンテナ特性を劣化させることなく、口径を小さくすることができる。また、本実施形態のアンテナ１０は、反射鏡を２つ備える構成であるので、特許文献１の構成と比較して、口径に垂直な方向のサイズも抑えることができる。以上から、複数のアンテナ１０をまとめて配置する場合（気象観測等）に特に適した構成のアンテナ１０が実現できる。
【００４６】
以上に説明したように、このアンテナ１０は、給電用導波管１４と、副反射鏡１２と、主反射鏡１１と、を備える。給電用導波管１４は、垂直偏波及び水平偏波で構成される電波が伝わる。副反射鏡１２は、給電用導波管１４の開口部と向かい合うように配置され、給電用導波管１４の開口部から照射された電波を反射する。主反射鏡１１は、副反射鏡１２と向かい合うように配置され、副反射鏡１２が反射した電波を外部へ放射する。主反射鏡１１の表面は、所定の放物線の一側及び他側を少なくとも一度ずつ通り、かつ当該放物線に沿うような線を回転軸の周りに回転させた形状である。副反射鏡１２の表面は、段状又は波状の線を回転軸の周りに回転させた形状である。
【００４７】
これにより、全体的にコンパクトであってアンテナ特性も良好なアンテナを実現できる。
【００４８】
次に、図５を参照して、上記実施形態の変形例を説明する。図５は、主反射鏡１１及び副反射鏡１２の変形例を示す断面図である。
【００４９】
上記実施形態では、副反射鏡１２の反射面は階段状の線を回転させた形状であったが、これに代えて、図５（ａ）に示すように波状の線（傾きが連続的に変化する線、滑らかな線）を回転させた形状にすることもできる。また、階段状の線の段差数や高さ等は任意であり、例えば主反射鏡１１の反射面の形状やレイアウト等に応じて、適宜変更することができる。
【００５０】
また、主反射鏡１１の反射面も、副反射鏡１２の反射面の形状やレイアウト等に応じて、適宜変更することができる。例えば、反射面曲線と放物線との交差回数も任意であるとともに、回転軸に最も近い位置において、放物線と一致していても内側又は外側であっても良い。また、図５（ｂ）に示すように、より細かい（波同士の間隔が違い）波面が表れるように変更することができる。この場合、前記反射面曲線は、放物線とより多くの回数交差することとなる。また、図５（ｃ）に示すように、波面ではなく複数の傾斜面で構成されるように変形することができる。この形状は、傾きが離散的に変化する線を回転軸の周りに回転させた形状と言うことができる。
【００５１】
以上に本発明の好適な実施の形態及び変形例を説明したが、上記の構成は例えば以下のように変更することができる。
【００５２】
主反射鏡１１の反射面曲線は、上記の方法に限られず適宜の方向で決定しても良い。また、用いる近似法も多項近似に限られず、様々な近似法を用いることができる。
【００５３】
アンテナ１０は、電波の透過率が高い素材からなるカバー（レドーム）で覆われる構成であっても良い。
【符号の説明】
【００５４】
１  アンテナ装置
１０  アンテナ
１１  主反射鏡
１２  副反射鏡
１３  副反射鏡支持部
１４  給電用導波管
【図１】
0005877894.tif 000002
【図２】
0005877894.tif 000003
【図３】
0005877894.tif 000004
【図４】
0005877894.tif 000005
【図５】
0005877894.tif 000006